(57)【特許請求の範囲】
【請求項１】
内側にネクタイ帯状部のうちネクタイの結び目近傍部分を収容可能な大きさに形成された優弧状ネクタイホルダ本体の両端を対向させ、この両端をネクタイ帯状部を挿脱可能な距離離隔して開口を形成し、該開口の開口端部には前記ネクタイホルダ本体における開口端部近傍部分と鋭角をなして内向する１対のネクタイ係止爪を夫々連設したことを特徴とするネクタイホルダ。
【請求項２】
内側にネクタイ帯状部のうちネクタイの結び目近傍部分を収容可能な大きさに形成された略優弧状ネクタイホルダ本体の両端を対向させ、この両端をネクタイ帯状部を挿脱可能な距離離隔して開口を形成し、前記ネクタイホルダの両端内側には内方に突出する突起を設け、前記ネクタイホルダ本体は長手方向に伸縮可能で、且つ中空に形成されており、前記中空部には内方に付勢するばねを内装して形成されてなることを特徴とするネクタイホルダ。
【請求項３】
第１の弧状片と第２の弧状片の先端が対向して近接若しくは当接すると、内側にネクタイ帯状部のうちネクタイの結び目近傍部分を収容可能な環状となり、且つ前記第１と第２の弧状片の継ぎ目部分に内方に突出する突起を形成してなることを特徴とするネクタイホルダ。
【請求項４】
内側にネクタイ帯状部のうちネクタイの結び目近傍部分を収容可能な大きさに形成された優弧状ネクタイホルダ本体の両端を下方に延設し、下端にネクタイ係止爪を設けたことを特徴とするネクタイホルダ。
【発明の詳細な説明】
【０００１】
【発明の属する技術分野】
本発明は、ネクタイ帯状部のうちネクタイの結び目近傍に装着し、長時間の着用によってもネクタイの形崩れや捩じれを生じさせることなく美しい着用状態を保持すると共に高装飾効果を有するネクタイホルダに関する。
【０００２】
【従来の技術】
従来、ネクタイ止めとしては一方向に著しく長い２本の挟持片を上下に対向して配設し、前記挟持片の長手方向一端部近傍を互いに付勢手段を有して枢着し上下に開閉可能に形成したものが一般的に存在する（例えば、実開平２−１００５１１号公報参照）。
又、ネクタイの結び目近傍を装飾するための装飾用ピンとして、枢着部を中心として開閉する１対の足部の先端に装飾玉を設け、足部と連続して設けられた柄部にはワイシャツ台衿に掛止する取付具を設け、取付具をワイシャツ台衿に掛止して取り付け、足部をネクタイの背面を沿わせてネクタイの左右側部に装飾玉を位置させるように構成したものが提案されている（例えば、特公昭５１−２０９４９号公報参照）。
又、ワイシャツのボタンに係止する止め部材に飾り部材を備えた環状リングを可動部材を介して取り付け、環状リング内にネクタイを通して飾り部材をネクタイの正面に位置させるように使用するネクタイ止めが提案されている（例えば、実開昭６３−３２１２号公報参照）。
又、首にかけて身体の正面側に垂下可能な長さのリング形成部材の下端に重錘を設け、中途部位に止め具を有する中間部材を架設した装飾具が提案されている（例えば、特開平１１−３４２０１２号公報参照）。
又、ワイシャツ前身頃に環状布片を取り付けて、この環状布片に帯状の後側ネクタイを挿し込んでネクタイを止めるようにした構成のものが提案されている（例えば、実開平７−４３４４６号公報及び特開平９−１５７９０２号公報参照）。
【０００３】
【発明が解決しようとする課題】
前記従来例のうち２本の挟持片でネクタイをワイシャツに挟み付けて止める構成のものは、ネクタイの垂れた帯状部をワイシャツに留める効果はあるものの、長時間の着用による結び目の緩みやネクタイの捩じれは防止できないという問題点があった。又、装飾品が顔面に与える華やかさは、一般に装飾品の位置が顔面に近い程が効果的である。例えば、実開平２−１００５１１号公報開示の考案のように挟持片に装飾玉等を設けた場合、装飾玉が顔面から著しく下方に位置し顔面に華やかさを与える効果が低いという問題点があった。
特公昭５１−２０９４９号公報開示の発明はネクタイ左右側部にのみ装飾玉を配置し、正面側に配置することができず、ワイシャツ台衿に取付具を掛止して取り付けるので重く肩凝りの原因になり、又、部品点数が多いためコスト高になるという問題点があった。
実開昭６３−３２１２号公報開示の考案は、環状リングにネクタイの帯状部を挿し入れるので装飾性が低く、又、止め部材でワイシャツのボタンに係止するため環状リング等の重みで着心地が悪いという問題点があった。
特開平１１−３４２０１２号公報開示の発明は、下端に重錘を有するリング形成部材を首から垂らして使用するため重く、又、勤務中は従業者に首からネックレスのようにＩＤカード等の身分証明カードを吊設することを義務づけている企業が近年は多いことより、ネックレスのようなものを２本首に吊り下げなければならず見た目が悪く、胸元が雑然とし実用性に乏しいという問題点があった。
実開平７−４３４４６号公報及び特開平９−１５７９０２号公報開示のものは、ワイシャツ自体に後側ネクタイを挿通するための環状布片を取り付けるのでノーネクタイの際にワイシャツの前身頃の見た目が極めて悪く、又、ネクタイ着用の際においても結び目の着崩れやネクタイの捩じれが生じるという問題点があった。
そこで、本願発明は優弧状に形成されたネクタイホルダ本体にネクタイを横方向に分けて広がりと張りを長時間保持させるための手段を設けることにより、ネクタイの着崩れや捩じれを防止し、しかも顔面に華やかさを付与するようにした装飾性を具備するネクタイホルダを提供することを目的とする。
【０００４】
【課題を解決するための手段】
上記目的を達成するために本願発明のうち請求項１記載の発明は、内側にネクタイ帯状部のうちネクタイの結び目近傍部分を収容可能な大きさに形成された優弧状ネクタイホルダ本体の両端を対向させ、この両端をネクタイ帯状部を挿脱可能な距離離隔して開口を形成し、該開口の開口端部には前記ネクタイホルダ本体における開口端部近傍部分と鋭角をなして内向する１対のネクタイ係止爪を夫々連設したことを特徴とする。
請求項２記載の発明は、内側にネクタイ帯状部のうちネクタイの結び目近傍部分を収容可能な大きさに形成された略優弧状ネクタイホルダ本体の両端を対向させ、この両端をネクタイ帯状部を挿脱可能な距離離隔して開口を形成し、前記ネクタイホルダの両端内側には内方に突出する突起を設け、前記ネクタイホルダ本体は長手方向に伸縮可能で、且つ中空に形成されており、前記中空部には内方に付勢するばねを内装して形成されてなることを特徴とする。
請求項３記載の発明は、第１の弧状片と第２の弧状片の先端が対向して近接若しくは当接すると、内側にネクタイ帯状部のうちネクタイの結び目近傍部分を収容可能な環状となり、且つ前記第１と第２の弧状片の継ぎ目部分に内方に突出する突起を形成してなることを特徴とする。
請求項４記載の発明は、内側にネクタイ帯状部のうちネクタイの結び目近傍部分を収容可能な大きさに形成された優弧状ネクタイホルダ本体の両端を下方に延設し、下端にネクタイ係止爪を設けたことを特徴とする。
【０００５】
【発明の実施の形態】
以下、図を参照にして本発明の実施の形態について説明する。
図１はネクタイホルダの平面図、図２は正面図、図３は使用状態を示す説明図である。これらの図において、ネクタイホルダ１は例えば金、プラチナ、パラジウム、ステンレス鋼、アルミニウム等の金属若しくはこれらの合金や硬質性合成樹脂等を材料とし、ネクタイ２のうちネクタイ帯状部３を挿脱するための開口４を有した優弧状のネクタイホルダ本体５とネクタイ係止爪６とより構成されている。詳しくは、肉厚が１〜５で横幅が２〜１８の細帯状片を内径１２〜２４、外径１４〜２８程度の環状に形成し、両端を３〜１０程度離隔対設して開口４を設け、優弧状のネクタイホルダ本体５を形成し、このネクタイホルダ本体５の両端、すなわち開口４の開口端部にはネクタイホルダ本体５に於ける端部近傍部分と鋭角をなして内向する１対のネクタイ係止爪６を夫々連続して設けている。ネクタイホルダ１のうち開口４と反対側の外側面にはダイヤモンド等の宝石７を取り付け、若しくは彫刻等の装飾加工を施して装飾性を高めるようにするとよい。又、ネクタイホルダ本体５の外側面は下方から上方にかけて外傾するように形成して、ネクタイホルダ本体５の内側にネクタイ２の結び目８が入らないようにしている。
本実施の形態におけるネクタイホルダ１は、開口４よりネクタイ２のうちネクタイ帯状部３をネクタイホルダ１の内側に入れ、ネクタイ係止爪６でネクタイ帯状部３の上部を横幅方向に背面側から略３等分するようにし、結び目８の下端縁とネクタイホルダ１の上端縁とが当接若しくは対向して近接するようにネクタイ帯状部３の上端に装着して使用するものである。ネクタイ係止爪６はネクタイ帯状部３の上部を略３等分するように配設されているので、長時間に亘たり結び目８に弛みを生じさせず、ネクタイ帯状部３の上部を横方向に広げて張りを保持させ形崩れをすることがないという効果がある。又、結び目８近傍のまとまりが良好になり、経時的にネクタイ２が捩じれるのを防止するという効果がある。
【０００６】
【０００７】
【０００８】
図４及び図５に示される実施の形態について説明する。ネクタイホルダ１は、開口４を有する優弧状のネクタイホルダ本体５の両端内側に突起９を夫々設けている。ネクタイホルダ本体５は、異径の開口を両端に有する環状片１１の端縁を互いに重合し長手方向に沿って伸縮可能な中空体に形成され、この中空部には内方に付勢する板ばね１４が内装されている。板ばね１４の両端は、ネクタイホルダ本体５の両端に固定的に取り付けられている。突起９によりネクタイ帯状部をネクタイホルダ１の内側で横方向に略３等分するようにネクタイホルダ１をネクタイ帯状部の上端に装着して使用する。ネクタイホルダ本体５の外面には凹凸等の装飾を施してもよい。
【０００９】
図６及び図７に示される実施の形態について説明する。ネクタイホルダ本体５は第１の弧状片１５と第２の弧状片１６とを枢着１７し、閉じた場合に環状になるように形成されている。第１の弧状片１５と第２の弧状片１６の先端は、互いに閉じた場合に内方に突出する突起１８を形成するように形成されている。
【００１０】
図８に示される実施の形態について説明する。優弧状のネクタイホルダ本体５の両端を垂直下方向に延設し、下端に内向ネクタイ係止爪１９を連設している。そして、ネクタイホルダ本体５をネクタイの結び目下端縁に沿わせて着用し、内向ネクタイ係止爪１９によりネクタイの背面側を係止し着用者の所望の張りをネクタイに与えるものである。本実施の形態では、ネクタイ帯状部のうちネクタイの結び目と隣接する位置でネクタイを内向ネクタイ係止爪１９にて横方向に広がらせるので、結び目の形崩れを生じさせることなく一層ネクタイの張りを保持できるという効果がある。
【００１１】
【発明の効果】
本発明はネクタイの結び目近傍のまとまりが良好になり、ネクタイの結び目下方部が横方向に張りを有して広がり、しかも長時間に亘たり形状の崩れがなく美しい着用状態を長時間保持でき、又、ネクタイの結び目下方部の捩じれを防止するという効果がある。
ネクタイホルダ本体に装飾加工を施こすことにより、装身具としての機能も果たすという効果がある。
【図面の簡単な説明】
【図１】ネクタイホルダの平面図である。
【図２】ネクタイホルダの正面図である。
【図３】使用状態を示す説明図である。
【図４】ネクタイホルダの平面図である。
【図５】ネクタイホルダの正面図である。
【図６】ネクタイホルダの平面図である。
【図７】ネクタイホルダの背面図である。
【図８】ネクタイホルダの斜視図である。
【符号の説明】
１  ネクタイホルダ
２  ネクタイ
３  ネクタイ帯状部
４  開口
５  ネクタイホルダ本体
６、１９  ネクタイ係止爪
８  結び目
９、１８  突起
１４  ばね
１５  第１の弧状片
１６  第２の弧状片
１７  枢着
【図１】
0003617040.tif 000002
【図２】
0003617040.tif 000003
【図３】
0003617040.tif 000004
【図４】
0003617040.tif 000005
【図５】
0003617040.tif 000006
【図６】
0003617040.tif 000007
【図７】
0003617040.tif 000008
【図８】
0003617040.tif 000009